【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
プロセス制御システムにおける警報管理方法であって、
ユーザが、１つ以上のコンピューティング機器を使用して、１つ以上の警報を含むコンテナを作成することを可能にすることと、
ユーザが、１つ以上のコンピューティング機器を使用して、各々が１つ以上の警報操作及び確認特性を含む、一組の警報グループを構成することを可能にすることと、
ユーザが、前記コンテナの１つ以上の警報を前記一組の警報グループのうちの異なる幾つかに割り当てることを可能にすることと、
前記コンテナの前記警報のうちの１つが前記コンテナによって起動されたときに、前記コンテナの前記警報のうちの前記１つの表示を提示するために、ユーザインターフェース機器上に警報表示インターフェースを提示することと、
ユーザが、前記警報表示インターフェースを介して前記コンテナの前記警報のうちの前記１つの表示を選択することを可能にすることと、
１つ以上のコンピューティング機器を介して、前記選択された警報が割り当てられる前記警報グループの前記警報操作及び確認特性のうちの１つ以上を割り当てることと、
ユーザインターフェース機器を介してユーザに情報を表示するために、前記警報のうちの前記１つが割り当てられた前記警報グループの前記１つ以上の警報操作及び確認特性を使用することと、を含む、警報管理方法。
【請求項２】
ユーザが前記一組の警報グループを構成することを可能にすることは、前記ユーザが前記警報グループの各々の前記１つ以上の警報操作及び確認特性を特定することを可能にすることを含む、請求項１に記載の警報管理方法。
【請求項３】
ユーザが前記警報グループの各々の前記１つ以上の警報操作及び確認特性を特定することを可能にすることは、ユーザが前記警報グループの各々についてのプラント表示を特定することを可能にすることを含み、前記ユーザインターフェース機器を介してユーザに情報を表示するために、前記警報のうちの前記１つが割り当てられた前記警報グループの前記警報操作及び確認特性を使用することは、前記ユーザインターフェース機器を介して前記ユーザに前記警報グループの前記プラント表示を提示することを含む、請求項１または２に記載の警報管理方法。
【請求項４】
前記ユーザが前記警報グループの各々の前記１つ以上の警報操作及び確認特性を特定することを可能にすることは、前記ユーザが前記警報グループの各々についての銘板表示を特定することを可能にすることを含み、前記ユーザインターフェース機器を介してユーザに情報を表示するために、前記警報のうちの前記１つが割り当てられた前記警報グループの前記警報操作及び確認特性を使用することは、前記ユーザインターフェース機器を介して前記ユーザに前記警報グループの前記銘板表示を提示することを含む、請求項２または３に記載の警報管理方法。
【請求項５】
前記ユーザが前記警報グループの各々の前記１つ以上の警報操作及び確認特性を特定することを可能にすることは、ユーザが前記警報グループの各々についての１つ以上の表示特性を特定することを可能にすることを含み、前記ユーザインターフェース機器を介してユーザに情報を表示するために、前記警報のうちの前記１つが割り当てられた前記警報グループの前記警報操作及び確認特性を使用することは、前記ユーザインターフェース機器の動作を制御するために、前記警報グループの前記１つ以上の表示特性を使用することを含む、請求項２から４のいずれか１項に記載の警報管理方法。
【請求項６】
前記一組の警報グループの各々のためのコンテナを作成することをさらに含み、１つ以上のコンピューティング機器を介して、前記警報のうちの前記選択された１つが割り当てられた前記警報グループの前記警報特性を割り当てることは、前記警報のうちの前記選択された１つと関連付けられた前記警報グループのための前記コンテナにアクセスすることを含む、請求項１から５のいずれか１項に記載の警報管理方法。
【請求項７】
前記選択された警報が割り当てられた前記警報グループの前記警報操作及び確認特性のうちの１つ以上を割り当てることは、前記警報のうちの前記選択された１つが割り当てられた前記警報グループに関する情報を用いて別名が付けられた前記警報を生成した前記コンテナに宛てられたメッセージを送信することを含む、請求項１から６のいずれか１項に記載の警報管理方法。
【請求項８】
ユーザが１つ以上の警報を含むコンテナを作成することを可能にすることは、前記ユーザがプロセス制御ロジックを有するプロセス制御モジュール、安全計装ロジックを有する安全システムロジックモジュール、または、警報を有するフィールド機器のうちの少なくとも１つを含むコンテナを作成することを可能にすることを含む、請求項１から７のいずれか１項に記載の警報管理方法。
【請求項９】
ユーザが前記コンテナの１つ以上の警報を前記警報グループの異なる警報グループに割り当てることを可能にすることは、１つ以上のコンピューティング機器を介してユーザに前記コンテナの１つ以上のブロックの表示を提示することと、前記ユーザが、前記コンテナの前記ブロックのうちの１つが割り当てられる前記一組の警報グループのうちの１つを選択することを可能にすることと、前記一組の警報グループのうちの前記選択された１つに前記コンテナの前記ブロックのうちの前記１つの前記警報を割り当てることと、を含む、請求項１から８のいずれか１項に記載の警報管理方法。
【請求項１０】
前記ユーザが前記コンテナの前記ブロックのうちの前記１つが割り当てられる前記一組の警報グループのうちの１つを選択することを可能にすることは、ユーザインターフェース機器を介して、ユーザが前記コンテナの前記ブロックのうちの前記１つのアイコンを選択することを許容することと、前記ユーザが前記コンテナの前記ブロックのうちの前記１つの前記アイコンを前記一組の警報グループのうちの前記選択された１つのアイコンの上にドラッグすることを許容することと、前記ユーザが前記コンテナの前記ブロックのうちの前記１つの前記アイコンを前記一組の警報グループのうちの前記選択された１つの前記アイコン上にドロップすることを許容することと、を含む、請求項９に記載の警報管理方
法。
【請求項１１】
ユーザが一組の警報グループを構成することを可能にすることは、前記一組の警報グループの各々を前記１つ以上の警報を生成する前記コンテナのサブコンポーネントとして構成することを含む、請求項１から１０のいずれか１項に記載の警報管理方法。
【請求項１２】
プロセスプラントにおいて使用するための警報操作及び確認システムであって、警報操作及び確認システムは、
前記プロセスプラント内に配設された１つ以上のコンテナであって、前記１つ以上のコンテナの各々が、
１つ以上の警報、ならびに
各々が一組の警報操作及び確認パラメータを含む１つ以上の警報グループ要素を含む、１つ以上のコンテナと、
前記１つ以上のコンテナのうちの１つ内の警報の開始の表示を含む、前記プロセスプラントに関する情報をユーザにユーザインターフェース機器を介して提示するために、１つ以上のコンピュータプロセッサ上で実行されるユーザインターフェースアプリケーションであって、前記１つ以上のコンテナのうちの１つ内の前記警報のうちの起動された１つの選択に応答して、
前記選択された警報が属する前記警報グループ要素を判定し、
前記選択された警報が属する前記警報グループ要素の前記警報グループ操作及び確認パラメータのうちの１つにアクセスし、
ユーザインターフェース機器を介して前記ユーザに情報を表示するために、前記選択された警報が属する前記警報グループ要素の前記警報グループ操作及び確認パラメータのうちの前記アクセスされた１つを使用する、ユーザインターフェースアプリケーションと、を備える、警報操作及び確認システム。
【請求項１３】
前記警報グループ要素の各々の前記１つ以上の警報操作及び確認パラメータは、前記警報グループ要素用の１つ以上の表示パラメータを含み、前記１つ以上の表示パラメータは、前記警報グループ要素内の警報に関する情報を表示することに関してユーザとの前記ユーザインターフェース機器の対話を制御するために、前記ユーザインターフェースアプリケーションによって使用される、請求項１２に記載の警報操作及び確認システム。
【請求項１４】
前記１つ以上の警報グループ要素の各々は、（ｉ）前記警報グループ要素が関連付けられる前記コンテナのサブコンポーネント、及び、（ｉｉ）前記警報グループ要素が関連付けられる前記コンテナとは別個のコンポーネントのうちの１つまたは両方として格納される、請求項１２または１３に記載の警報操作及び確認システム。
【請求項１５】
前記ユーザインターフェースアプリケーションは、前記選択された警報が属する前記警報グループ要素用の前記コンテナにアクセスすることによって、前記選択された警報が属する前記警報グループ要素の前記警報グループ操作及び確認パラメータのうちの１つにアクセスする、請求項１３または１４に記載の警報操作及び確認システム。
【請求項１６】
前記ユーザインターフェースアプリケーションは、前記選択された警報が割り当てられた前記警報グループ要素に関する情報を用いて別名が付けられた前記警報を生成した前記コンテナに宛てられたメッセージを使用して、前記選択された警報が属する前記警報グループ要素用の前記コンテナにアクセスする、請求項１３から１５のいずれか１項に記載の警報操作及び確認システム。
【請求項１７】
前記コンテナの前記警報グループ要素のうちの１つ以上に対する通信経路を指示するリストをさらに含み、前記ユーザインターフェースアプリケーションは、前記リストから前
記警報グループ要素用の通信経路を判定することによって、前記選択された警報が属する前記警報グループ要素の前記警報グループ操作及び確認パラメータのうちの１つにアクセスする、請求項１３から１６のいずれか１項に記載の警報操作及び確認システム。
【請求項１８】
ユーザが前記コンテナの１つ以上の警報を前記警報グループ要素のうちの幾つかに割り当てることを可能にするようにプロセッサ上で実行する警報構成アプリケーションをさらに含む、請求項１３から１７のいずれか１項に記載の警報操作及び確認システム。
【請求項１９】
一組のフィールド機器に結合されたプロセス制御機器を有する、プロセスプラントの制御に使用するプロセス制御システムであって、前記プロセス制御システムは、
前記プロセスプラント内の１つ以上の機器内に配設された複数のコンテナを備え、前記複数のコンテナのうちの少なくとも１つは、
前記コンテナ用の第１の一組の操作及び確認パラメータと、
前記コンテナによって生成された複数の警報と、
各々が前記コンテナ用の前記第１の一組の操作及び確認パラメータとは異なる一組の警報操作及び確認パラメータを含む、多数の警報グループ要素と、を含み、
前記複数の警報のうちの異なる１つは、前記多数の警報グループ要素の各々に割り当てられる、プロセス制御システム。
【請求項２０】
前記複数のコンテナのうちの１つ内の警報の開始の表示を含む、前記プロセスプラントに関する情報をユーザにユーザインターフェース機器を介して提示するように、前記プロセスプラント内の１つ以上のコンピュータプロセッサ上で実行されるユーザインターフェースアプリケーションをさらに含み、前記ユーザインターフェースアプリケーションは、前記複数のコンテナのうちの前記１つ内の前記警報のうちの起動された１つの選択に応答して前記選択された警報が属する前記警報グループ要素を判定し、前記選択された警報が属する前記警報グループ要素の前記警報グループ操作及び確認パラメータのうちの１つにアクセスし、ユーザインターフェース機器を介して前記ユーザに情報を表示するために、前記選択された警報が属する前記警報グループ要素の前記警報グループ操作及び確認パラメータのうちの前記アクセスされた１つを使用する、請求項１９に記載のプロセス制御システム。
【請求項２１】
前記警報グループ要素の各々の前記１つ以上の警報操作及び確認パラメータは、（ｉ）プラント表示、及び、（ｉｉ）銘板表示のうちの１つまたは両方への参照を含む、請求項１９に記載のプロセス制御システム。
【請求項２２】
前記複数のコンテナのうちの前記少なくとも１つは、前記コンテナが通信自在にアクセス可能であるための第１のタグを含み、前記警報グループ要素の各々は、前記警報グループ要素が通信自在にアクセス可能であるための異なるタグを含み、このため各警報グループ要素の前記警報グループ操作及び確認パラメータは、前記コンテナ用の前記第１のタグとは異なるタグを使用してアクセス可能である、請求項２０または２１に記載のプロセス制御システム。